(57)【要約】 【課題】本発明は椅子や座席シートに容易に取り付けることができ、取り付け後は背もたれと背もたれ用指圧具がしっかりと固定され、誰でも快適に指圧を受けることができる背もたれ用指圧具を提供することを目的とするものである。【解決手段】本発明は、上記課題を解決するために、ドーム状の複数の指圧部３と、前記指圧部３を固定し、中央に縦長の中央縦スリット６ｄと、左右に縦長の左右縦スリット６ｅ、６ｆと、斜めに隣り合う指圧部３間であって、斜めに隣り合う指圧部３を結ぶ線と直交するように設けた複数の左ガイド孔６ｇ及び複数の右ガイド孔６ｈを穿孔したシート状の取付部２ａと、前記取付部２ａに接続し、取付部２ａより細身の折返部２ｂよりなる全体としてボーリングのピンの縦断面形状であるシート板２と、前記折返部２ｂの裏面に取り付けた面ファスナー４とからなることを特徴とする背もたれ用指圧具の構成とした。【選択図】図１
2008113796.tif 000002
【特許請求の範囲】
【請求項１】
ドーム状の複数の指圧部と、前記指圧部を固定したシート状の取付部、前記取付部に接続し、取付部より細身の折返部よりなる全体としてボーリングのピンの縦断面形状であるシート板と、前記折返部の裏面に取り付けた面ファスナーとからなることを特徴とする背もたれ用指圧具。
【請求項２】
前記取付部の中央に縦長の中央縦スリットと、左右に縦長の左右縦スリットと、斜めに隣り合う指圧部間であって、斜めに隣り合う指圧部を結ぶ線と直交するように設けた複数の左ガイド孔、及び複数の右ガイド孔を穿孔したことを特徴とする請求項１に記載の背もたれ用指圧具。
【請求項３】
前記折返部に連結孔を穿設し、前記連結孔に一端を連結した伸縮ベルトと、前記伸縮ベルトの他端に取り付けた、椅子に係止しするフックとからなることを特徴とする請求項１又請求項２に記載の背もたれ用指圧具。
【請求項４】
内部に磁石を埋設した複数の指圧部と、前記複数の指圧部を固定した四角形状のシート状の取付部と、内部が中空の空洞で、座席のヘットレストに係止する係止部と、前記取付部と前記係止部を接続する連結部とからなることを特徴とする背もたれ用指圧具。
【請求項５】
内部に磁石を埋設した複数の指圧部と、前記複数の指圧部を固定したシート状の取付部と、前記取付部の両サイドに取り付けた上伸縮ベルトと、下伸縮ベルトとからなることを特徴とする背もたれ用指圧具。
【請求項６】
内部に磁石を埋設した複数の指圧部と、内部が中空の空洞で、背もたれにかぶせるシートカバーとからなることを特徴とする背もたれ用指圧具。
【請求項７】
前記指圧部が、身体側に円形の開口部を有するドーム状の収納部、及び前記収納部の内部に一部を突出するように埋設した、前記開口部の直径より僅かに大きな直径の球状の磁石よりなることを特徴とする請求項１〜請求項６の何れかに記載の背もたれ用指圧具。
【請求項８】
前記指圧部の取付部又はシートカバーへの固定が、面ファスナーによって着脱可能であり、前記取付部又はシートカバーの任意の位置に指圧部を移動可能としたことを特徴とする請求項１〜請求項７の何れかに記載の背もたれ用指圧具。
【請求項９】
前記指圧部或いは収納部、取付部及び折返部、又はシートカバー及び指圧部をゴム素材とし、金型で一体成形したことを特徴とする請求項１〜請求項７に何れかに記載の背もたれ用指圧具。
【発明の詳細な説明】
【技術分野】
【０００１】
本発明は、椅子や車の座席の背もたれ部分に取り付ける背もたれ用指圧具に関する。
【背景技術】
【０００２】
従来、背もたれ等に別途取り付けていた指圧具は、シート全面に凹凸を設けたもので、背もたれに紐等で括り付けたものや、特許文献１には、表面をループパイル織の布で形成した柔軟度の高いシート状の本体１と，裏面に面ファスナーのフック面３を付設した数個の指圧体２で構成した指圧器、又全部または五分の一以上の表面にループパイル織の布を用い，イスの背もたれを覆う大きさの袋状またはシャツ状に形成した本体１と，裏面に面ファスナーのフック面３を付設した数個の指圧体２で構成した指圧器、及び、背もたれの前面の全部または五分の一以上にループパイル織の布を用い，背もたれと一体に形成した本体１と，裏面に面ファスナーのフック面３を付設した数個の指圧体２で構成した指圧器が公開されている。
【特許文献１】特開２００１−１０４４４９号公報
【０００３】
又、特許文献２には、弾力性を有し可撓性のある長方形の布袋１へ、中央の値を１とし左右外側を２の比率で長手方向へ並行に８分目までを３つの領域に仕切りで分割、中央の小袋５へ永久磁石１１を装填したクッション材９を挿入し、左右外側の小袋４へ球体１３を回転自在にそれぞれ複数収納し、布袋１の仕切り残しの幅方向へ、開閉自在の開閉具８を備えた開口部６を設け、開口部側へ吊りベルト１５と吊り金具１７を有した携帯指圧具が公開されている。
【特許文献２】特開２００６−１８１３４１号公報
【発明の開示】
【発明が解決しようとする課題】
【０００４】
しかしながら、従来の指圧具は椅子やシートに取り付けた際に、指圧具全体が容易に背もたれからずれてしまい、安定した指圧を継続することは難しかった。
【０００５】
また、特許文献１の指圧器では、ループパイル織の布にひとつひとつ指圧具を取り付けるのは手間がかかり、利用者によって配置を変えるのも面倒であった。更に、ループパイル織の布と指圧具が外れる可能性も残されており、ループパイル織の布に衣服が引っ掛かってしまう可能性もあった。
【０００６】
さらに、特許文献２の携帯指圧具では、球体１３を左右外側の小袋４、５に球体を回転自在にそれぞれ複数収納している。しかし、球体であっては、背もたれ部分が硬質である椅子などに取り付けた場合、痛みを伴いとても実用に耐えない。
【０００７】
そこで、本発明は、椅子や座席シートに容易に取り付けることができ、取り付け後は背もたれと背もたれ用指圧具がしっかりと固定され、更に背もたれ用指圧具と衣類などが引っ掛かることがなく誰でも快適に指圧を受けることができる背もたれ用指圧具を提供することを目的とするものである。
【課題を解決するための手段】
【０００８】
本発明は、上記の課題を解決するために、ドーム状の複数の指圧部３と、前記指圧部３を固定したシート状の取付部２ａと、前記取付部２ａに接続し、取付部２ａより細身の折返部２ｂよりなる全体としてボーリングのピンの縦断面形状であるシート板２と、前記折返部２ｂの裏面に取り付けた面ファスナー４とからなることを特徴とする背もたれ用指圧具１の構成とし、
前記取付部の中央に縦長の中央縦スリット６ｄと、左右に縦長の左右縦スリット６ｅ、６ｆと、斜めに隣り合う指圧部３間であって、斜めに隣り合う指圧部３を結ぶ線と直交するように設けた複数の左ガイド孔６ｇ及び複数の右ガイド孔６ｈを穿孔したことを特徴とする請求項１に記載の背もたれ用指圧具の構成とし、
前記折返部に連結孔６ｃを穿設し、前記連結孔６ｃに一端を連結した伸縮ベルト１０と、前記伸縮ベルト１０の他端に取り付けた、椅子に係止しするフック１１とからなることを特徴とする請求項１又請求項２に記載の背もたれ用指圧具の構成とし、
内部に磁石９ａを埋設した複数の指圧部９と、前記複数の指圧部９を固定した四角形状のシート状の取付部１５ａと、内部が中空の空洞１５ｄで、座席１６のヘットレスト１６ｄに係止する係止部１５ｃと、前記取付部１５ａと前記係止部１５ｃを接続する連結部１５ｂとからなることを特徴とする背もたれ用指圧具１４の構成とし、
内部に磁石９ａを埋設した複数の指圧部９と、前記複数の指圧部９を固定したシート状の取付部１８ａと、前記取付部１８ａの両サイドに取り付けた上伸縮ベルト１８ｂと、下伸縮ベルト１８ｃとからなることを特徴とする背もたれ用指圧具１８の構成とし、
内部に磁石９ａを埋設した複数の指圧部９と、内部が中空の空洞１９ｂで、背もたれ１２ａ、１６ｂにかぶせるシートカバー１９ａとからなることを特徴とする背もたれ用指圧具１９の構成とし、
前記指圧部３、９が、身体側に円形の開口部９ｃを有するドーム状の収納部９ｂ、及び前記収納部９ｂの内部に一部を突出するように埋設した、前記開口部９ｃの直径より僅かに大きな直径の球状の磁石９ａよりなることを特徴とする請求項１〜請求項６の何れかに記載の背もたれ用指圧具の構成とし、
前記指圧部３、９の取付部２ａ、６ａ、８ａ、１５ａ、１８ａ又はシートカバー１９ａへの固定が、面ファスナーによって着脱可能であり、前記取付部２ａ、６ａ、８ａ、１５ａ、１８ａ又はシートカバー１９ａの任意の位置に指圧部３、９を移動可能としたことを特徴とする請求項１〜請求項７の何れかに記載の背もたれ用指圧具の構成とし、
前記指圧部３、或いは収納部９ｂ、取付部２ａ、６ａ、８ａ、１５ａ、１８ａ及び折返部２ｂ、６ｂ、８ｂ又はシートカバー及び指圧部をゴム素材とし、金型で一体成形したことを特徴とする請求項１〜請求項７に何れかに記載の背もたれ用指圧具の構成とした。
【発明の効果】
【０００９】
本発明は、以上の構成であるから以下の効果が得られる。第１に、湾曲状の背もたれに本発明を取り付ける場合、折返部が取付部より細身であるため、折返部を背もたれに取り付けるため折り返したとき、取付部が湾曲状の背もたれに沿うように湾曲し、身体にフィットした取付部の形状となり、心地よく指圧を受けることができる。また、取付部には複数の指圧具を有しているため利用者によって指圧体の位置を変更する必要がなく誰でも快適な指圧を受けることができる。
さらに、縦長の中央縦、左右縦スリット、及び左右ガイド孔を取付部に穿設することにより、自然に背もたれの形状にフィットした形状の取付部となり、より心地よく指圧を受けることができる。
また、連結孔を設けることにより、伸縮ベルト及びフックで、面ファスナーによる取り付ける他、椅子の軸にも、本発明を固定することができるため、多様な形態の椅子に対応して、本発明で指圧を受けることができる。
指圧部の先端に、球状の磁石を埋設することにより、指圧に加え、磁力線による血行改善効果も発揮する。
指圧部を着脱式にすることで、個人の身体的にマッチした位置に指圧部を移動することができ、本発明１つで多くの人に心地よく指圧を施すことができる。
指圧具と取付部、或いはシートカバーをゴム素材で、一体成形することで、簡易かつ低コストで本発明を提供することができる。更に、指圧具が外れる心配がなく、指圧部に衣類等が引っ掛かる心配もない。
【発明を実施するための最良の形態】
【００１０】
背もたれ用指圧具を簡単に安定した状態で取り付けることができ、誰でも快適な指圧を受けることができるという目的を、ドーム状の複数の指圧部３と、前記指圧部３を固定し、中央に縦長の中央縦スリット６ｄと、左右に縦長の左右縦スリット６ｅ、６ｆと、斜めに隣り合う指圧部３間であって、斜めに隣り合う指圧部３を結ぶ線と直交するように設けた複数の左ガイド孔６ｇ及び複数の右ガイド孔６ｈを穿孔したシート状の取付部６ａと、前記取付部６ａに接続し、取付部６ａより細身の折返部６ｂよりなる全体としてボーリングのピンの縦断面形状であるシート板６と、前記折返部６ｂの裏面に取り付けた面ファスナー４とからなることを特徴とする背もたれ用指圧具の構成とし、前記折返部に連結孔６ｃを穿設し、前記連結孔６ｃに一端を連結した伸縮ベルト１０と、前記伸縮ベルト１０の他端に取り付けた、椅子に係止しするフック１１とからなることを特徴とする前記背もたれ用指圧具の構成とすることによって実現した。
【実施例１】
【００１１】
図１は、本発明である背もたれ用指圧具の第１実施例の正面図である。図２は、本発明である背もたれ用指圧具の第１実施例の左側面図である。本発明である背もたれ用指圧具１は、ドーム状の複数の指圧部３と、前記指圧部３を固定したシート状の取付部２ａと、前記取付部２ａに接続し、取付部２ａより細身の折返部２ｂよりなる全体としてボーリングのピンの縦断面形状であるシート板２と、前記折返部２ｂの裏面に取り付けた面ファスナー４とからなる。
【００１２】
図３は、本発明である背もたれ用指圧具の第１実施例の使用状態を示した図である。背もたれ用指圧具１は、椅子の背もたれ１２ａに取付部２ａが当たるようにセットし、折返部２ｂを背もたれ１２ａのトップで折返し、背もたれ１２ａの背面に取り付けた、面ファスナー４ａと折返部２ｂの背面に取り付けた面ファスナー４を貼付、取付部２ａを固定する。
【００１３】
面ファスナー４は、折返部２ｂの背面に一面に取り付けてもよいし、複数個を背面に所定の間隔で取り付けてもよい。折返部２ｂを図中の両矢印Ａ方向に上下することで、取付部２ａを図中の両矢印Ｂ方向に上下させることができ、指圧部３を好みの位置、例えば、肩胛骨部１３、背中１３ａ、腰１３ｂに集中して押圧するように移動させることができる。
【実施例２】
【００１４】
図４は、本発明である背もたれ用指圧具の第２実施例の正面図である。図５は、本発明である背もたれ用指圧具の第２実施例の左側面図である。  図６は、本発明である背もたれ用指圧具の第２実施例の断面図である。図６Ａは図４Ａ−Ａ線断面、図６Ｂは図４Ｂ−Ｂ断面である。
【００１５】
本発明である背もたれ用指圧具５は、ドーム状の複数の指圧部３と、前記指圧部３を固定し、中央に縦長の中央縦スリット６ｄと、左右に縦長の左右縦スリット６ｅ、６ｆと、斜めに隣り合う指圧部３間であって、斜めに隣り合う指圧部３を結ぶ線と直交するように設けた複数の左ガイド孔６ｇ及び複数の右ガイド孔６ｈを穿孔したシート状の取付部６ａと、前記取付部６ａに接続し、取付部６ａより細身の折返部６ｂよりなる全体としてボーリングのピンの縦断面形状であるシート板６と、前記折返部６ｂの裏面に取り付けた面ファスナー４とからなり、図７に示すように、前記折返部に連結孔６ｃを穿設し、前記連結孔６ｃに一端を連結した伸縮ベルト１０と、前記伸縮ベルト１０の他端に取り付けた、椅子に係止しするフック１１とを利用することもできる。
【００１６】
指圧部３は、ドーム状（半球状）で、取付部からの高さ１ｃｍ〜２ｃｍ程度、より好ましくは、１．５ｃｍ程度であり、指圧部３と指圧部３の間隔は、周囲５ｃｍ〜６ｃｍ程度が好ましい。この範囲であれば、背中が指圧部３に寄りかかったとき、痛みもなく、心地よい指圧を受けることができる。
【００１７】
取付部６ａには、中央に縦長の中央縦スリット６ｄと、左右に縦長の左右縦スリット６ｅ、６ｆと、斜めに隣り合う指圧部３間であって、斜めに隣り合う指圧部３を結ぶ線と直交するように設けた複数の左ガイド孔６ｇ及び複数の右ガイド孔６ｈを穿孔されている。
【００１８】
これらのスリット、孔は、５ｍｍ〜１０ｍｍ程度が好ましく、取付部６ａをより柔軟にし、背もたれ１２ａの形状にフィットするよう取付部６ａの形状を変化させる。また、身体（背中）の形状にもフィットする。さらに、これらのスリット、孔は、背中と取付部６ａとの通気性をよくし、指圧中の蒸れを防止する効果がある。
【００１９】
折返部６ｂは、背もたれ１２ａトップで、背もたれ背面に折り返す部分である。折り返すことにより、背もたれ１２ａの背面に取り付けた面ファスナー４ａと、折返部２ｂの背面に取り付けた面ファスナー４を貼付、取付部６ａを固定する。
【００２０】
ここでは、取付部６ａに、縦４列、左から第１列（４個）、第２列（５個）、第３列（５個）、第４列（４個）、合計１８個の指圧部３取り付けた例を示したが、取付部６ａの大きさ、長さにより、取り付ける指圧部３の個数は適宜変更することができる。
【００２１】
また、多様な背もたれの形態、多くの人にとって、適切な大きさは、シート板６の長手（縦）方向の長さは、約４０ｃｍ〜６０ｃｍ程度である。厚みは、５ｍｍ程度が好ましい。さらに、取付部６ａと折返部６ｂの縦方向の長さの比は、取付部６ａ：折返部６ｂ＝１．５：１程度がよく、横方向の長さの比は、取付部６ａ：折返部６ｂ＝３（最長部）：１程度がよい。
【００２２】
さらに、詳しくは、取付部６ａの長手（縦）方向の長さは約２５ｃｍ〜３５ｃｍ程度、より好ましくは３０ｃｍ程度、横方向の底部の長さは１５ｃｍ〜２０ｃｍ程度、より好ましくは１７ｃｍ程度、横方向の中腹部の最長部の長さは２５ｃｍ〜３０ｃｍ程度、より好ましくは２７ｃｍ程度である。
【００２３】
他方、折返部６ｂの長手（縦）方向の長さは約１５ｃｍ〜２５ｃｍ程度、より好ましくは２０ｃｍ程度、横方向の長さは８ｃｍ〜１２ｃｍ程度、より好ましくは１０ｃｍ程度である。
【００２４】
指圧部３、取付部６ａ、折返部６ｂの素材は、ゴム素材、シリコンなどの柔軟な素材が好ましい。指圧部３は、図６に示すように、取付部６ａと一体に金型成形しても、別体として、取り付けてもよい。取り付けには、接着剤によっても、面ファスナーによって、着脱可能としてもよい。前述の取付部２ａ、折返部２ｂについても、機能、素材等については、取付部６ａ、折返部６ｂと同様である。
【００２５】
図７は、本発明である背もたれ用指圧具の第２実施例の使用状態を示した図である。背もたれ用指圧具５は、椅子の背もたれ１２ａに取付部２ａが当たるようにセットし、折返部２ｂを背もたれ１２ａのトップで折返し、背もたれ１２ａの背面に取り付けた、面ファスナー４ａと折返部２ｂの背面に取り付けた面ファスナー４を貼付、取付部２ａを固定する。
【００２６】
面ファスナー４は、折返部２ｂの背面に一面に取り付けてもよいし、複数個を背面に所定の間隔で取り付けてもよい。折返部２ｂを図中の両矢印Ａ方向に上下することで、取付部２ａを図中の両矢印Ｂ方向に上下させることができ、指圧部３を好みの位置、例えば、肩胛骨部１３、背中１３ａ、腰１３ｂに集中して押圧するように移動させることができる。
【００２７】
なお、折返部２ｂの背面に取り付けた面ファスナー４を、鈎状ファスナーにすることで、布生地などで被覆された一部の背もたれでは、面ファスナー４ａを取り付けることなく、直接絡み付け、背もたれ用指圧具５を固着することができる。
【実施例３】
【００２８】
図８は、本発明である背もたれ用指圧具の第３実施例の正面図である。図９は、本発明である背もたれ用指圧具の第３実施例の左側面図である。図１０、本発明である背もたれ用指圧具の第３実施例のＣ−Ｃ線断面図である。
【００２９】
背もたれ用指圧具７は、内部に磁石９ａを埋設した複数の指圧部９と、前記複数の指圧部９を固定したシート板８と、前記シート板８に一端を連結した伸縮ベルト１０と、前記伸縮ベルト１０の他端に取り付けた、椅子に係止しするフック１１とからなる。
【００３０】
また、指圧部９は、身体側に円形の開口部９ｃを有するドーム状の収納部９ｂ、及び前記収納部９ｂの内部に一部を突出するように埋設した、前記開口部９ｃの直径より僅かに大きな直径の球状の磁石９ａよりなる。これにより、成形した指圧部９の収納部９ｃに、球状に磁石９ａを押し込むことで、磁石９ａを収納部９ｂに埋設することができる。収納部９ｂがゴムなど素材でできていれば、開口部９ｃは押し込む力で延び、磁石９ａを入れることは容易である。指圧部９の収納部９ｂと取付部８ａとゴムなどの素材で一体成形しても同様である。
【００３１】
球状の磁石９ａは、例えば、（株）マグナボール型磁石、型番ＳＲ−フェライト１５ψ（鏡面仕上げ）などが好適である。
【００３２】
伸縮ベルト１０はゴムなどの弾性体で、伸縮ベルト１０を連結孔８ｃに接続し、利用することにより、多様な形状の椅子に対しても（フック１１の掛ける場所が異なっても）、背もたれ用指圧具７を固定することができる。
【００３３】
なお、シート板８の形状、大きさ、シート板２、６と同様であり、指圧部９の配置なども、指圧部３と同様である。以下、同じ。
【００３４】
図１１は、本発明である背もたれ用指圧具の第３実施例の使用状態を示した図である。ここでは、脚１２ｅにキャスター１２ｆがある椅子１２に、背もたれ用指圧具７を固定する場合について説明する。
【００３５】
背もたれ用指圧具７は、椅子１２の背もたれ１２ａに取付部８ａが当たるようにセットし、折返部８ｂを背もたれ１２ａのトップで折返し、前記シート板８に一端を連結した伸縮ベルト１０の他端に取り付けたフック１１を椅子１２の支柱１２ｄから伸びた腰掛部１２ｂの高さを調節する調節棒１２ｃに係止し、固定する。椅子の形状により、フック１１を脚１２ｅ、支柱１２ｄに取り付けることもある。
【実施例４】
【００３６】
図１２は、本発明である背もたれ用指圧具の第４実施例の正面図である。図１３は、本発明である背もたれ用指圧具の第４実施例の左側面図である。図１４は、本発明である背もたれ用指圧具の第４実施例のＤ−Ｄ線断面図である。
【００３７】
本発明である背もたれ用指圧具１４は、内部に磁石９ａを埋設した複数の指圧部９と、前記複数の指圧部９を固定した四角形状のシート状の取付部１５ａと、内部が中空の空洞１５ｄで、座席１６のヘットレスト１６ｄに係止する係止部１５ｃと、前記取付部１５ａと前記係止部１５ｃを接続する連結部１５ｂとからなる。
【００３８】
図１５は、本発明である背もたれ用指圧具の第４実施例の使用状態を示した図である。係止部１５ｃを車などの座席１６のヘットレスト１６ｄに被せることで、指圧部９を固定した取付部１５ａを容易かつ確実に背もたれ１６ｂに固定することができる。
【実施例５】
【００３９】
図１６は、本発明である背もたれ用指圧具の第５実施例の正面図である。図１７は、本発明である背もたれ用指圧具の第５実施例の左側面図である。図１８は、本発明である背もたれ用指圧具の第５実施例の断面図である。図１９は、本発明である背もたれ用指圧具の第５実施例の使用状態を示した図である。
【００４０】
本発明である背もたれ用指圧具１７は、内部に磁石９ａを埋設した複数の指圧部９と、前記複数の指圧部９を固定した四角形状のシート状の取付部１５ａと、内部が中空の空洞１５ｄで、座席１６のヘットレスト１６ｄに係止する係止部１５ｃと、前記取付部１５ａと前記係止部１５ｃを接続する左右連結部１７ａ、１７ｂとからなる。本発明である背もたれ用指圧具１７は、前記背もたれ用指圧具１４の連結部１５ｂを２本の左右連結部１７ａ、１７ｂとしたこと以外同じである。
【実施例６】
【００４１】
図２０は、本発明である背もたれ用指圧具の第６実施例の正面図である。図２１は、本発明である背もたれ用指圧具の第６実施例の左側面図である。図２２は、本発明である背もたれ用指圧具の第６実施例の使用状態を示した図である。
【００４２】
背もたれ用指圧具１８は、内部に磁石９ａを埋設した複数の指圧部９と、前記複数の指圧部９を固定したシート状の取付部１８ａと、前記取付部１８ａの両サイドに取り付けた上伸縮ベルト１８ｂと、下伸縮ベルト１８ｃとからなる。
【００４３】
本発明である背もたれ用指圧具１８を背もたれ１２ａに固定するには、取付部１８ａの両サイドに設けた連結孔１８ｄに上下伸縮ベルト１８ｂ、１８ｃを連結し、背もたれ１２ａに掛けて、取付部１８ａを固定する。上下伸縮ベルト１８ｂ、１８ｃは、輪状のゴムとしてもよいし、バックルにより輪の型を調節することができるよう２本としてもよい。
【００４４】
このようにしてなる背もたれ用指圧具１８は、２本の上下収縮バンド１８ｂ、１８ｃにより、背もたれ１２ａに固定することにより、本発明が所定の位置からずれることなく、確実に固定することができる。
【実施例７】
【００４５】
図２３は、本発明である背もたれ用指圧具の第７実施例の正面図である。図２４は、本発明である背もたれ用指圧具の第７実施例の左側面図である。図２５は、本発明である背もたれ用指圧具の第７実施例のＦ−Ｆ線断面図である。
【００４６】
本発明である背もたれ用指圧具１９は、内部に磁石９ａを埋設した複数の指圧部９と、内部が中空の空洞１９ｂで、背もたれ１２ａ、１６ｂにかぶせるシートカバー１９ａとからなる。
【００４７】
これによりなる背もたれ用指圧具１９は、背もたれ１２ａに一面に指圧部９がある中空のシートカバー１９ａを被せるだけで、簡易かつ確実に指圧部９を背もたれ１２ａに固定することができるため便宜である。
【図面の簡単な説明】
【００４８】
【図１】本発明である背もたれ用指圧具の第１実施例の正面図である。
【図２】本発明である背もたれ用指圧具の第１実施例の左側面図である。
【図３】本発明である背もたれ用指圧具の第１実施例の使用状態を示した図である。
【図４】本発明である背もたれ用指圧具の第２実施例の正面図である。
【図５】本発明である背もたれ用指圧具の第２実施例の左側面図である。
【図６】本発明である背もたれ用指圧具の第２実施例の断面図である。
【図７】本発明である背もたれ用指圧具の第２実施例の使用状態を示した図である。
【図８】本発明である背もたれ用指圧具の第３実施例の正面図である。
【図９】本発明である背もたれ用指圧具の第３実施例の左側面図である。
【図１０】本発明である背もたれ用指圧具の第３実施例のＣ−Ｃ線断面図である。
【図１１】本発明である背もたれ用指圧具の第３実施例の使用状態を示した図である。
【図１２】本発明である背もたれ用指圧具の第４実施例の正面図である。
【図１３】本発明である背もたれ用指圧具の第４実施例の左側面図である。
【図１４】本発明である背もたれ用指圧具の第４実施例のＤ−Ｄ線断面図である。
【図１５】本発明である背もたれ用指圧具の第４実施例の使用状態を示した図である。
【図１６】本発明である背もたれ用指圧具の第５実施例の正面図である。
【図１７】本発明である背もたれ用指圧具の第５実施例の左側面図である。
【図１８】本発明である背もたれ用指圧具の第５実施例の断面図である。
【図１９】本発明である背もたれ用指圧具の第５実施例の使用状態を示した図である。
【図２０】本発明である背もたれ用指圧具の第６実施例の正面図である。
【図２１】本発明である背もたれ用指圧具の第６実施例の左側面図である。
【図２２】本発明である背もたれ用指圧具の第６実施例の使用状態を示した図である。
【図２３】本発明である背もたれ用指圧具の第７実施例の正面図である。
【図２４】本発明である背もたれ用指圧具の第７実施例の左側面図である。
【図２５】本発明である背もたれ用指圧具の第７実施例のＦ−Ｆ線断面図である。
【符号の説明】
【００４９】
１      背もたれ用指圧具
２      シート板
２ａ    取付部
２ｂ    折返部
３      指圧部
４      面ファスナー
４ａ    面ファスナー
５      背もたれ用指圧具
６      シート板
６ａ    取付部
６ｂ    折返部
６ｃ    連結孔
６ｄ    中央縦スリット
６ｅ    左縦スリット
６ｆ    右縦スリット
６ｇ    左ガイド孔
６ｈ    右ガイド孔
７      背もたれ用指圧具
８      シート板
８ａ    取付部
８ｂ    折返部
８ｃ    連結孔
９      指圧部
９ａ    磁石
９ｂ    収納部
９ｃ    開口部
１０    伸縮ベルト
１１    フック
１２    椅子
１２ａ  背もたれ
１２ｂ  腰掛部
１２ｃ  調節棒
１２ｄ  支柱
１２ｅ  脚
１２ｆ  キャスター
１３    肩胛骨部
１３ａ  背中
１３ｂ  腰
１４    背もたれ用指圧具
１５ａ  取付部
１５ｂ  連結部
１５ｃ  係止部
１５ｄ  空洞
１６    座席
１６ａ  腰掛部
１６ｂ  背もたれ
１６ｃ  調節部
１６ｄ  ヘットレスト
１７    背もたれ用指圧具
１７ａ  右連結部
１７ｂ  左連結部
１８    背もたれ用指圧具
１８ａ  取付部
１８ｂ  上伸縮ベルト
１８ｃ  下伸縮ベルト
１８ｄ  連結孔
１９    背もたれ用指圧具
１９ａ  シートカバー
１９ｂ  空洞
【図１】
2008113796.tif 000003
【図２】
2008113796.tif 000004
【図３】
2008113796.tif 000005
【図４】
2008113796.tif 000006
【図５】
2008113796.tif 000007
【図６】
2008113796.tif 000008
【図７】
2008113796.tif 000009
【図８】
2008113796.tif 000010
【図９】
2008113796.tif 000011
【図１０】
2008113796.tif 000012
【図１１】
2008113796.tif 000013
【図１２】
2008113796.tif 000014
【図１３】
2008113796.tif 000015
【図１４】
2008113796.tif 000016
【図１５】
2008113796.tif 000017
【図１６】
2008113796.tif 000018
【図１７】
2008113796.tif 000019
【図１８】
2008113796.tif 000020
【図１９】
2008113796.tif 000021
【図２０】
2008113796.tif 000022
【図２１】
2008113796.tif 000023
【図２２】
2008113796.tif 000024
【図２３】
2008113796.tif 000025
【図２４】
2008113796.tif 000026
【図２５】
2008113796.tif 000027